(57)【要約】【課題】  往復動ポンプで液を移送するとき脈動が発生する。その脈動は、移送液を使用していろいろな仕事（洗浄、エッチング）をさせる場合に、良い品質を得るときの障害になる。つまり移送液には、脈動が少なく、液の流量、液圧が一定であることが重要である。この脈動減衰装置を１個の圧縮気体流入制御弁機構と液室と気室を分割するベローズの上下動を利用して気室の圧力を大気圧に放出することで調整する機構を使って脈動の減衰を行う。【解決手段】  ベローズにシール部を設けると共に、本体ケース内面にカム部を設けることで、気室を圧縮空気が入る第１気室と大気と連通する第２気室とに分け、ベローズの上下の動きを弁と同じ効果のある装置とする。【選択図】      図５
2009127504.tif 000002
【特許請求の範囲】
【請求項１】
往復動ポンプのポンプ移送液配管路内に配置され、ポンプ移送液の脈動を減少させる脈動減衰装置において、密封容器の形態をなすケース本体と該ケース内部で液室と気室を分離する伸縮自在のベローズと該ベローズの液室には、ポンプからの移送液を流入させ該移送液を貯留する。移送液を送り出す移送管路を配置し、該ベローズには、気室と大気圧を分けるシールを配し、気室には、圧縮気体を導入する弁とこの弁をベローズが伸張したときに押し上げるスライダーと該シールが予定された位置に来ると大気圧に開放されるようになし、ポンプからの移送液の圧力変動を小さくしたことを特徴とする脈動減衰装置。
【請求項２】
請求項１の脈動減衰装置において、ベローズの一定量以上の収縮を妨げるようなストッパーを設けると共に、該ストッパーを中空となし、ベローズ内部と移送液出口とを連通させたことを特徴とする脈動減衰装置。
【発明の詳細な説明】
【技術分野】
【０００１】
往復動ポンプの液移送の移送液配管路内に配置し、往復動ポンプによっておこる移送液に発生する有害な脈動を減衰させる脈動減衰装置に関する。
【背景技術】
【０００２】
従来の脈動を減衰させる減衰装置は、往復動ポンプの液移送で発生する脈動を減衰させるのに移送液を管路の途中に一時的に移送液を貯留する液室を設けて、脈動を持った液を貯留し、再び配管路に液を送り出すことで、移送液の流量、圧力の変動に伴う往復動ポンプによる脈動を抑える機能を果たすものがあり、パルスダンパーあるいは、アキュムレータというものがある。
【０００３】
しかし人手を使わないで、自動で液移送を行う配管内に設置されたフィルターの目詰まりにより発生する移送液の脈動やポンプによる脈動を自動で抑えることができる装置としての脈動減衰装置の需要があり、この装置を提供する。
下記特許文献１にあるような、隔膜を有して移送液と気室を分離した貯留液室に移送液を送り、移送液圧の変動を気室に送る気体圧力の変化によって脈動を減少させる装置が提案されている。
【特許文献１】特開平６−１７７５２
【発明の開示】
【発明が解決しようとする課題】
【０００４】
以上述べたように従来の自動脈動減衰装置にあるような弁を２個使うタイプのものは、構造部材も多く、複雑で価格も高い。かつ脈動減衰装置を上下反対に設置することのできるタイプの安定した動きの脈動減衰装置を提供すること。
【課題を解決するための手段】
【０００５】
従来の脈動減衰装置と違い、弁を１個使用し、簡便な装置で移送液の脈動を減衰させることを、目的とする。この脈動減衰装置に使用する液室と気室を分ける部屋をベローズとする。該ベローズにシール部を設けると共に、本体ケース内面にカム部を設けることで、気室を圧縮空気が入る第１気室と大気と連通する第２気室とに分け、ベローズの上下の動きを弁と同じ効果のある装置とする。
【発明の効果】
【０００６】
本発明により脈動減衰装置は、簡便な構造になり、上下逆の取り付け方法でも取り付けられるような構造の脈動減衰装置とすることで、利便性が向上する。
【０００７】
つまり弁が１個になり、かつベローズの一部にシールによる気室の分離をすることで弁のような働きをさせる構造にするので同じ流量をコントロールする脈動減衰装置と比較すると、構造物の高さを低くできるために、小さくかつ廉価に作れるので工業的な価値がある。
【発明を実施するための最良の形態】
【０００８】
図１は、脈動減衰装置の正面図で、１は、本体ケース、２は、脈動減衰装置の液移送部、図５の３のベローズが移送液の圧力上昇、液流量の増加などにより液室を拡大させると、ベローズ３は、上に移動する。５は、圧縮気体流入用継手、６は、大気連通用バルブ、４は、シールで気室を分割する働きをしている。
【０００９】
図２は、脈動減衰装置を上から見た図で１０ａ、１０ｂ、１０ｃ、１０ｄのボルトで９の台座に１の脈動減衰装置本体を固定することで、気室の圧力、移送液の圧力に抗して、脈動減衰装置としての働きを保持している。
【００１０】
図５の気室に５の圧縮気体流入用継手から圧縮気体を送り込んでいる。１１のボールは、圧縮気体を、ボール弁用圧縮スプリング１８で押し付ける力を常時受けてシールしているので、気室１２に該圧縮気体が流入しないようになっている。１３のスライダーは、自在に上下できるようにセットされている。１３ａは、スライダーの上下の動きをガイドする円の外形の一部で構成されている。つまり円筒の中を上下に動く構造にする。
【００１１】
ベローズ３は、移送液圧が高く、流量が多いときには、ベローズ３が伸張することで、移送液がポンプの最大圧力での液の移送が直接、移送管に高圧の移送液が急速流れないように干渉して圧力の高い状態の移送液をベローズ３内部に貯留する。
【００１２】
つまりベローズ３にポンプの圧力で移送液が流入してベローズ３を押し上げると、このベローズ３にセットされた１４の板でスライダー１３の１３ｄの部分を押し上げ、１３ｃの先端で１１のボールを押し上げると弁が開いて圧縮気体が１２の気室に流入してベローズ３を圧縮することで、ベローズ３内部の移送液の圧力が減衰していくのを防ぐことができる。
【００１３】
つまりベローズが移送液の圧力上昇で膨らんできたときにボール弁から５の圧縮気体流入用継手から圧縮気体が流れ込むことで、移送液の圧力とベローズ３の壁を挟んでの圧縮気体の圧力のバランスがとれることになる。次に往復動ポンプの動きで切り替えが起こるときに液を送る圧力が下がるところがあり、液の脈動を起こす。
【００１４】
このときに脈動減衰装置のベローズ３が圧送された圧縮気体の圧力でベローズ３を圧縮させることで移送液の圧力と流量が減衰するところをカバーして、移送液の圧力と流量をベローズ３に蓄えた移送液を加圧し押し出すことで脈動の原因の圧力減少をカバーして、移送液圧、流量を確保する。
【００１５】
図５は、ベローズ３が伸張したときの断面図で１３の弁駆動ピンで１１のボール弁を押し上げて５の継手からベローズ３を押す圧縮気体が流れ込むことで移送液圧との圧力バランス、流量の減少を抑えてバランスを保つ。
【００１６】
図６は、気室１２と移送液の圧力と流量とのバランスが取れている状態の断面図で１ａのカム部の上の気室１２がシールされた状態にある。このとき１２の気室の圧力とベローズ３の移送液の圧力のバランスは、とれている。
【００１７】
図７は、ベローズ３の移送液の圧力が小さくなり、気室１２の圧力によりベローズ３が収縮する力で移送液の圧力を調節する。１ａのカムの部分で４のシールがカム部の下にきて、１２の気室のシールが破れ、６の穴を通して大気圧になる。このとき移送液の圧力が下がった状態である。
【００１８】
そうすると次にポンプからの高い圧力の移送液が送られるので、移送液の圧力が増してベローズ３を押し上げ、図７の状態から図６の状態になるので、移送液と１２の気室で圧力のバランスを自動的にとれるという働きをする。
【００１９】
またこの脈動減衰装置の１７のストッパーは、ベローズ３の急激な収縮にベローズ３の変形を避けるためのストパー１７に１７ａの穴をあける。この穴は、ベローズ３の移送液室に入っている余分な空気が移送液の送りを妨げるのでこれを避けるために、脈動減衰装置が作動するときに１７ａの穴を通して８の移送液用管に圧送することで余分な空気による脈動減衰装置の効きが悪くなるのを避ける。
【００２０】
図７のように１２の気室が大気に開放されるときにベローズが急激に下がると液室が潰れることがあるので、これを避けるのに１７のストッパーが働いてベローズ３の破壊を避ける。
【００２１】
この脈動減衰装置は、図３のようにセットすることが通常の設置方法だが、図４のように反対に取り付けることでベローズ内部にある空気の影響をほぼゼロにして動作する脈動減衰装置として使用することも可能である。
【図面の簡単な説明】
【００２２】
【図１】正面図
【図２】上面図
【図３】右側面図（正立取付）
【図４】右側面図（倒立取付）
【図５】ベローズ伸張状態断面図
【図６】ベローズ中間状態断面図
【図７】ベローズ圧縮状態断面図
【図８】スライダー１３斜視図
【符号の説明】
【００２３】
１：本体ケース
１ａ：カム部
２：脈動減衰装置の液移送部
３：ベローズ
４：シール
５：圧縮気体流入用継手
６：大気連通穴
７，８：移送液管
９：台座
１０：ボルト
１１：ボール弁
１２：気室
１３：スライダー
１４：板
１５：トメ板
１６：トメネジ
１７：ストッパー
１８：ボール弁用圧縮スプリング
【図１】
2009127504.tif 000003
【図２】
2009127504.tif 000004
【図３】
2009127504.tif 000005
【図４】
2009127504.tif 000006
【図５】
2009127504.tif 000007
【図６】
2009127504.tif 000008
【図７】
2009127504.tif 000009
【図８】
2009127504.tif 000010